(57)【要約】【課題】緊急電源供給装置により緊急照明を提供することができる上、電気製品を挿着して使用したり充電したりすることもできる地震救難生命維持装置を提供する。【解決手段】地震救難生命維持装置は、コラム１０及び緊急電源供給装置２０を備える。コラム１０は、柱状体であり、電気室１１を上端に有する。電気室１１の周縁には、複数の貫通孔１２及びプラグ受け１３が周設される。電気室１１の下方には、２つの収容室１４が設けられる。収容室１４には、物入れ口１５がそれぞれ形成される。コラム１０は、電気室１１を覆うトップカバー１６を上端に有するとともに、底端に底板１７が設けられる。底板１７の底面には、複数のキャスタ１８が設けられる。緊急電源供給装置２０は、コラム１０上端の電気室１１内に配設される。緊急電源供給装置２０は、ＬＥＤランプ２１を上方に有するとともに、電気室１１周縁のプラグ受け１３と電気的に接続される。【選択図】図２
0003207194.tif 000002
【実用新案登録請求の範囲】
【請求項１】
コラム及び緊急電源供給装置を備えた地震救難生命維持装置であって、
前記コラムは、柱状体であり、電気室を上端に有し、
前記電気室の周縁には、複数の貫通孔及びプラグ受けが周設され、
前記電気室の下方には、２つの収容室が設けられ、
前記収容室には、物入れ口がそれぞれ形成され、
前記コラムは、前記電気室を覆うトップカバーを上端に有するとともに、底端に底板が設けられ、
前記底板の底面には、複数のキャスタが設けられ、
前記緊急電源供給装置は、前記コラム上端の前記電気室内に配設され、
前記緊急電源供給装置は、ＬＥＤランプを上方に有するとともに、前記電気室周縁のプラグ受けと電気的に接続されることを特徴とする地震救難生命維持装置。
【考案の詳細な説明】
【技術分野】
【０００１】
本考案は、地震救難生命維持装置に関するものであり、さらに詳しくは、柱状体のコラムを耐圧支持コラムとして用い、コラムの上端には電気室が設けられ、電気室の周縁には、複数の貫通孔及びプラグ受けが周設され、電気室内には、緊急電源供給装置が設置され、電気室の下方には２つの収容室が設けられ、収容室に飲料水、ドライフードなどの必需品が保管され、緊急事態が発生したときに取り出して摂取し、緊急電源供給装置により緊急照明を提供することができる上、電気製品を挿着して使用したり充電したりすることもできる、地震救難生命維持装置に関するものである。
【背景技術】
【０００２】
地震が発生して建物が倒れたり、天井、柱のコンクリートブロックなどが落下したりして、避難経路が阻まれると、救助隊員による救助を待つしかなく、従来、最悪の場合「黄金の７２時間」以内に救出されない虞があった。そのため一部のメーカーは、金属製のコラムを卓面下に取り付け、机の耐震強度を高める技術を開発していた。しかし、このような技術は、机の耐震・耐圧強度を高めることができても、地震が発生したときに、机の近くにいない場合、全く役にたたなかった。
【０００３】
災害が発生したときに、体力を温存することは救出される確率を高めるために非常に重要であった。そのため従来から一部のメーカーにより救急箱が販売されている。この救急箱には飲料水、ドライフードなど生命を維持するのに必要な物が収容され、災害が発生したときに、救助を待つ者が救急箱内の飲料水、ドライフードなどにより体力を温存し、救助の可能性を高めることができる。しかし従来の救急箱は、耐圧性能が低いため、地震が発生して落下物により潰れたり損壊したりすると、救助される可能性が低くなった。
【考案の概要】
【考案が解決しようとする課題】
【０００４】
従って、本考案の主な課題は、緊急事態が発生したときに耐圧支持体として機能し、同時に緊急用食料を保管することが可能な地震救難生命維持装置を提供することにある。
【課題を解決するための手段】
【０００５】
そこで、本考案者は、前記の目的を達成するため鋭意検討を重ねた結果、特定のコラムを利用することにより前記課題を解決することができる点に着目し、かかる知見に基いて、本考案の完成に想到するに至った。
すなわち、上記課題を解決するために、本考案の形態によれば、コラム及び緊急電源供給装置を備えた地震救難生命維持装置であって、前記コラムは、柱状体である上、電気室を上端に有し、前記電気室の周縁には、複数の貫通孔及びプラグ受けが周設され、前記電気室の下方には、２つの収容室が設けられ、前記収容室には、物入れ口がそれぞれ形成され、前記コラムは、前記電気室を覆うトップカバーを上端に有するとともに、底端に底板が設けられ、前記底板の底面には、複数のキャスタが設けられ、前記緊急電源供給装置は、前記コラム上端の前記電気室内に配設され、前記緊急電源供給装置は、ＬＥＤランプを上方に有するとともに、前記電気室周縁のプラグ受けと電気的に接続されることを特徴とする地震救難生命維持装置が提供される。
かくして、本考案の要旨は次の通りである。
（１）コラム及び緊急電源供給装置を備えた地震救難生命維持装置であって、
前記コラムは、柱状体である上、電気室を上端に有し、
前記電気室の周縁には、複数の貫通孔及びプラグ受けが周設され、
前記電気室の下方には、２つの収容室が設けられ、
前記収容室には、物入れ口がそれぞれ形成され、
前記コラムは、前記電気室を覆うトップカバーを上端に有するとともに、底端に底板が設けられ、
前記底板の底面には、複数のキャスタが設けられ、
前記緊急電源供給装置は、前記コラム上端の前記電気室内に配設され、
前記緊急電源供給装置は、ＬＥＤランプを上方に有するとともに、前記電気室周縁のプラグ受けと電気的に接続されることを特徴とする地震救難生命維持装置
【考案の効果】
【０００６】
本考案は前記の通りの構成からなり、本考案に係る地震救難生命維持装置を構成するコラムは、耐圧支持可能な柱状態であり、地震発生時には、避難空間を提供し、食料品を保管する収容室としての機能も設けてあり、緊急照明装置等の作用との相乗的な効果を奏する。
【図面の簡単な説明】
【０００７】
【図１】図１は、本考案の一実施形態に係る地震救難生命維持装置を示す斜視図である。
【図２】図２は、本考案の一実施形態に係る地震救難生命維持装置を示す断面図である。
【図３】図３は、本考案の一実施形態に係る地震救難生命維持装置の使用状態の断面図である。
【図４】図４は、本考案の一実施形態に係る地震救難生命維持装置の使用状態の説明図である。
【図５】図５は、本考案の一実施形態に係る地震救難生命維持装置のティーテーブルの脚を示す説明図である。
【考案を実施するための形態】
【０００８】
図１及び図２を参照する。図１及び図２に示すように、本考案の一実施形態に係る地震救難生命維持装置は、少なくともコラム１０及び緊急電源供給装置２０から構成されてなる。コラム１０は、柱状体である。コラム１０の上端には電気室１１が設けられる。電気室１１の周縁には、複数の貫通孔１２及びプラグ受け１３が周設され、電気室１１の下方には、２つの収容室１４が設けられる。２つの収容室１４には、物入れ口１５がそれぞれ形成される。コラム１０の上端には、電気室１１を覆うトップカバー１６が設けられる。コラム１０の底端には、底板１７が設けられる。底板１７の底面には、複数のキャスタ１８が設けられる。緊急電源供給装置２０は、コラム１０上端の電気室１１内に配設される。緊急電源供給装置２０は、ＬＥＤランプ２１を上方に有するとともに、電気室１１周縁のプラグ受け１３と電気的に接続される。
【０００９】
緊急電源供給装置２０の上方に設けたＬＥＤランプ２１が点灯すると、コラム１０上端の電気室１１周縁の貫通孔１２からランプ光の光線が出射される。緊急電源供給装置２０は、電気室１１の周縁のプラグ受け１３と電気的に接続される。プラグ受け１３には、電気製品を挿着して使用したり充電したりすることができる（図示せず）。
【００１０】
コラム１０内に設けた２つの収容室１４は、災害用必需品を保管するために用いる。この災害用必需品には、緊急事態が発生したときに必要な飲料水３０、ドライフード４０などが含まれる（図３を参照する）。
【００１１】
本実施形態の地震救難生命維持装置には、容易に移動して所望の箇所へ設置することができるようにキャスタ１８が取り付けられる。例えば、リビングルームのソファ横、書斎机、事務用机５０の底面に取り付けられる（図４を参照する）。即ち、地震が発生したときに近くにいる人を保護するために、本考案の地震救難生命維持装置を脚として用いることが  できる。図５では、ティーテーブル６０を脚として用いる。
【００１２】
本考案のコラム１０は、柱状体を呈する耐圧支持の柱体であり、地震が発生したときにコラム１０により支持し、地震により落下した天井、柱のコンクリートブロックにより人が怪我をすることを防ぐ避難空間を確保する。避難経路が妨げられている場合、救助隊員により救助されるまで、閉じ込められた者はコラム１０の物入れ口１５の２つの収容室１４から飲料水３０及びドライフード４０を取り出して摂取し、体力を温存しながら救助を待つことができる。このように、救助を待つ間に飲料水及び食料が不足し、体力不足となる虞がない。また、コラム１０上端の電気室１１内には、緊急電源供給装置２０が設置される。緊急電源供給装置２０上方のＬＥＤランプ２１のランプ光は、コラム１０上端の電気室１１周縁の貫通孔１２から出射し、緊急照明用として用いたり、救助要請ランプとして用いたりすることができる。電気室１１周縁に設けたプラグ受け１３は電気製品（例えば携帯電話）を挿着して使用したり充電したりし、救助されるのを待つ間、外部と連絡して救助の機会を高めることもできる。
【符号の説明】
【００１３】
１０  コラム
１１  電気室
１２  貫通孔
１３  プラグ受け
１４  収容室
１５  物入れ口
１６  トップカバー
１７  底板
１８  キャスタ
２０  緊急電源供給装置
２１  ＬＥＤランプ
３０  飲料水
４０  ドライフード
５０  事務用机
６０  ティーテーブル
【図１】
0003207194.tif 000003
【図２】
0003207194.tif 000004
【図３】
0003207194.tif 000005
【図４】
0003207194.tif 000006
【図５】
0003207194.tif 000007